(57)【特許請求の範囲】
【請求項１】
蓄電部と、
発電により電力を供給する発電部と、
所定の負荷に電力を供給する場合に前記蓄電部が放電することができる時間を予測する放電可能時間予測部と、
負荷に供給される電力量を予測する負荷需要量予測部と、
前記発電部が供給する電力量を予測する発電量予測部と、
前記放電可能時間予測部が予測した前記放電可能時間をユーザに報知する報知部と、
前記蓄電部に充電されている電力量を測定する残容量測定部と、を備え、
前記負荷が複数存在し、
前記放電可能時間予測部が、複数の前記負荷の組み合わせにより生成される複数の負荷パターンのそれぞれについて、前記残容量測定部で測定される電力量と、前記発電量予測部で予測される電力量と、前記負荷需要量予測部で予測される電力量と、に基づいて、前記放電可能時間を予測し、複数の前記負荷パターンのそれぞれに対応する放電可能時間を前記報知部が報知することを特徴とする電力供給システム。
【請求項２】
前記負荷に供給された電力または電流を測定する負荷測定部と、
前記負荷測定部で測定された電力または電流の情報を記録するデータベースと、をさらに備え、
前記負荷需要量予測部が、前記負荷測定部で測定された電力または電流と、前記データベースに記録されている前記負荷に供給された電力または電流の情報と、の少なくとも一方に基づいて、負荷に供給される電力量を予測することを特徴とする請求項１に記載の電力供給システム。
【請求項３】
前記発電部が供給した電力または電流を測定する発電測定部と、
前記発電測定部が測定した電力または電流の情報を記録するデータベースと、をさらに備え、
前記発電量予測部が、前記発電測定部で測定された電力または電流と、前記データベースに記録されている前記発電部が供給した電力または電流の情報と、の少なくとも一方に基づいて、前記発電部が供給する電力量を予測することを特徴とする請求項１または請求項２に記載の電力供給システム。
【請求項４】
前記電力供給システムに、電力会社から供給される系統電力が供給され得るとともに、
前記系統電力の供給が停止した場合に、前記蓄電部の放電により供給される電力及び前記発電部の発電により供給される電力の少なくとも一方が前記負荷に供給されることを特徴とする請求項１〜請求項３のいずれかに記載の電力供給システム。
【請求項５】
前記放電可能時間の予測は所定の時間ごとに行うことを特徴とする請求項１〜請求項４のいずれかに記載の電力供給システム。
【請求項６】
時間を入力する入力手段をさらに設け、
前記入力手段により入力された時間に供給できる負荷の組み合わせを表示することを特徴とする請求項１〜請求項３のいずれかに記載の電力供給システム。
【請求項７】
表示された前記負荷の組み合わせの１つを選択する選択手段と、
負荷の制御を行う制御手段をさらに備え、
前記選択手段により選択された組み合わせに基づいて、前記制御手段は負荷の制御を行うことを特徴とする請求項１〜請求項３のいずれかに記載の電力供給システム。
【請求項８】
蓄電部と、
所定の負荷に電力を供給する場合に前記蓄電部が放電することができる時間を予測する放電可能時間予測部と、
前記放電可能時間予測部が予測した前記放電可能時間をユーザに報知する報知部と、を備え、
前記負荷が複数存在し、
前記放電可能時間予測部が、複数の前記負荷の組み合わせにより生成される複数の負荷パターンのそれぞれについて放電可能時間を予測し、複数の前記負荷パターンのそれぞれに対応する放電可能時間を前記報知部が報知し、
時刻を入力する入力手段をさらに設け、
前記入力手段により入力された時刻までの間に供給できる負荷の組み合わせを表示することを特徴とする電力供給システム。
【発明の詳細な説明】
【技術分野】
【０００１】  本発明は、電力を供給する電力供給システムに関する。
【背景技術】
【０００２】  近年、蓄電池の大容量化が進み、家庭や店舗、ビルなどで消費される電力の貯蔵用としての利用が検討されている。このような蓄電池は、事前に充電しておくことで、任意のタイミングで放電する（即ち、電力を供給する）ことができる。そのため、例えば家庭や店舗等で消費される系統電力（電力会社から供給される電力。以下同じ。）が瞬間的に大きくなる場合などに、蓄電池の放電により電力を供給して、系統電力の瞬間的な消費を抑制するために利用され得る。また、蓄電池は、例えば災害などによって家庭や店舗等に系統電力の供給が停止した場合における、非常用の電力源としても利用され得る。【０００３】  ところで、蓄電池は、事前に充電されている電力量以上は放電することができない。そのため、ユーザが蓄電池を放電させた場合に、期待した時間以上放電することができない場合が生じ得る。【０００４】  そこで、例えば特許文献１では、蓄電池が放電し得る時間を、放電中の蓄電値の電圧値に基づいて予測し、表示する電力供給システムが提案されている。特に、この電力供給システムでは、電圧値が所定の大きさだけ減少する際に要した時間に基づいて、蓄電池が放電し得る時間の予測方法を修正することにより、精度良く蓄電池が放電し得る時間を予測する。
【先行技術文献】
【特許文献】
【０００５】
【特許文献１】特開２００５−３７２３２号公報
【発明の概要】
【発明が解決しようとする課題】
【０００６】  特許文献１で提案されている電力供給システムによれば、蓄電池が放電し得る時間をユーザが把握することができる。しかしながら、蓄電池が放電し得る時間をユーザが把握することができたとしても、それに基づいてユーザが最適な電力の消費方法（例えば、照明装置や空調装置などの各種機器（負荷）の使用の許否）を決定することは、困難である。このような電力の消費方法の最適化は、例えば、災害時などの系統電力の使用が不可能でありかつ蓄電池の十分な充電も見込めない場合のように、蓄電池を効率良く放電して電力を供給することが求められる場合に、必要となる。【０００７】  そこで本発明は、蓄電部を放電させて得られる電力の最適な消費方法を、ユーザが容易に決定することができる電力供給システムを提供することを目的とする。
【課題を解決するための手段】
【０００８】  上記目的を達成するために、本発明における電力供給システムは、負荷に電力を供給する電力供給システムであって、放電により電力を供給する蓄電部と、所定の負荷に電力を供給する場合に前記蓄電部が放電することができる時間である、放電可能時間を予測する放電可能時間予測部と、前記放電可能時間予測部が予測した前記放電可能時間をユーザに報知する報知部と、を備え、前記負荷が複数存在し、前記放電可能時間予測部が、電力を供給する負荷の組み合わせが異なる複数の放電可能時間を予測し、当該複数の放電可能時間を前記報知部が報知することを特徴とする。【０００９】  また、上記構成の電力供給システムにおいて、前記蓄電部に充電されている電力量を測定する残容量測定部と、負荷に供給される電力量を予測する負荷需要量予測部と、をさらに備え、前記放電可能時間予測部が、前記残容量測定部で測定される電力量と、前記負荷需要量予測部で予測される電力量と、に基づいて、前記放電可能時間を予測することとしても構わない。【００１０】  このように構成すると、放電可能時間予測部が、精度良く放電可能時間を予測することが可能となる。なお、前記放電可能時間予測部が、前記残容量測定部で測定される電力量を、前記負荷需要量予測部で予測される電力量で除することにより、前記放電可能時間を予測しても構わない。【００１１】  また、上記構成の電力供給システムにおいて、前記負荷に供給された電力または電流を測定する負荷測定部と、前記負荷測定部で測定された電力または電流の情報を記録するデータベースと、をさらに備え、前記負荷需要量予測部が、前記負荷測定部で測定された電力または電流と、前記データベースに記録されている前記負荷に供給された電力または電流の情報と、の少なくとも一方に基づいて、負荷に供給される電力量を予測しても構わない。【００１２】  このように構成すると、負荷需要量予測部が、精度良く負荷に供給される電力量を予測することが可能となる。なお、前記負荷需要量予測部が、前記データベースに記録されている前記負荷に供給された電力または電流の情報に基づいて、負荷に供給される電力量を予測する場合、予測時と同様の状況で前記負荷測定部により測定された電力または電流の情報を、選択的に用いても構わない。【００１３】  また、上記構成の電力供給システムにおいて、発電により電力を供給する発電部と、前記発電部が発電する電力量を予測する発電量予測部と、をさらに備え、前記放電可能時間予測部が、前記残容量測定部で測定される電力量と、前記発電量予測部で予測される電力量と、前記負荷需要量予測部で予測される電力量と、に基づいて、前記放電可能時間を予測しても構わない。【００１４】  このように構成すると、放電可能時間予測部が、発電部により供給される電力量を考慮して蓄電部の放電可能時間を予測することとなる。そのため、放電可能時間予測部が、精度良く放電可能時間を予測することが可能となる。なお、前記放電可能時間予測部が、前記残容量測定部で測定される電力量に前記発電量予測部で予測される電力量を加えたものを、前記負荷需要量予測部で予測される電力量で除することにより、前記放電可能時間を予測しても構わない。【００１５】  また��上記構成の電力供給システムにおいて、前記発電部が供給した電力または電流を測定する発電測定部と、前記発電測定部が測定した電力または電流の情報を記録するデータベースと、をさらに備え、前記発電量予測部が、前記発電測定部で測定された電力または電流と、前記データベースに記録されている前記発電部が供給した電力または電流の情報と、の少なくとも一方に基づいて、前記発電部が供給する電力量を予測しても構わない。【００１６】  このように構成すると、発電量予測部が、精度良く発電部が供給する電力量を予測することが可能となる。なお、前記発電量予測部が、前記データベースに記録されている前記発電部が供給した電力または電流の情報に基づいて、前記発電部が供給する電力量を予測する場合、予測時と同様の状況で前記発電測定部により測定された電力または電流の情報を、選択的に用いても構わない。【００１７】  また、上記構成の電力供給システムにおいて、前記電力供給システムに、電力会社から供給される系統電力が供給され得るとともに、発電により電力を供給する発電部をさらに備え、前記系統電力の供給が停止した場合に、前記蓄電部の放電により供給される電力及び前記発電部の発電により供給される電力の少なくとも一方が前記負荷に供給されることとしても構わない。【００１８】  このように構成すると、系統電力の供給が停止する災害時などの、系統電力の使用が不可能であり、かつ蓄電部の十分な充電も見込めない場合に、蓄電部を効率良く放電して電力を供給することが可能となる。
【発明の効果】
【００１９】  本発明の構成とすると、ユーザが報知部から放電可能時間を報知されることで、どの負荷に電力を供給すると、どれだけの時間蓄電部を放電して電力を供給することができるかを、容易に把握することが可能となる。そのため、蓄電部を放電させて得られる電力の最適な消費方法を、ユーザが容易に決定することが可能となる。【００２０】  本発明の意義ないし効果は、以下に示す実施の形態の説明によりさらに明らかとなろう。ただし、以下の実施の形態は、あくまでも本発明の実施の形態の一つであって、本発明ないし各構成要件の用語の意義は、以下の実施の形態に記載されたものに制限されるものではない。
【図面の簡単な説明】
【００２１】
【図１】は、本発明の実施の一形態である電力供給システムの構成例を示すブロック図である。
【図２】は、図１に示した電力供給システムの要部を示すブロック図である。
【図３】は、発電量予測方法について説明するグラフである。
【図４】は、負荷需要量予測方法について説明するグラフである。
【図５】は、選択され得る負荷パターンの一例を示すグラフである。
【図６】は、図５に示す負荷パターンが選択可能である場合の報知部の報知例（表示例）を示す図である。
【図７】は、本発明の変形例にかかる制御部の制御フローである。
【図８】は、本発明の変形例にかかる電力供給システムの構成例を示すブロック図である。
【発明を実施するための形態】
【００２２】  本発明の実施の一形態である電力供給システムについて、以下図面を参照して説明する。＜＜電力供給システムの構成＞＞  まず、本発明の実施の一形態である電力供給システムの構成の一例について、図面を参照して説明する。図１は、本発明の実施の一形態である電力供給システムの構成例を示すブロック図である。なお、図中の各ブロックを接続する実線の矢印は電力のやり取りを示し、破線の矢印は情報のやり取りを示している。
【００２３】  図１に示す電力供給システム１は、供給される電力を充電するとともに放電により電力を供給する蓄電部１１を備える蓄電関連部１０と、太陽光発電により電力を供給する太陽光発電部２０と、電力を消費する負荷部３１を備える負荷関連部３０と、電力の授受を調整するパワーコンディショナ（以下、パワコンとする）４０と、各部の動作を制御する制御部５０と、制御部５０が取得し得る各種情報を記録するデータベース６０と、制御部５０に制御されユーザに対して報知を行う報知部７０と、を備える。
【００２４】  蓄電関連部１０は、蓄電部１１と、蓄電部１１の充電及び放電を行う充放電調整部１２と、蓄電部１１に充電される電力または電流や蓄電部１１から放電される電力または電流を測定する充放電測定部１３と、蓄電部１１に充電されている電力量を測定する残容量測定部１４と、蓄電部１１が設置された空間（以下、蓄電部設置空間とする）の温度を測定する温度測定部１５と、蓄電部設置空間の温度を調整する温度調整部１６と、を備える。
【００２５】  蓄電部１１は、例えば大容量の蓄電池から成り、充放電調整部１２により充電及び放電が行われる。充放電測定部１３は、例えば、単位時間（例えば、１分）当たりに蓄電部１１に充電される電力量または電流量や、単位時間当たりに蓄電部１１から放電される電力量または電流量を測定する。残容量測定部１４は、例えば、蓄電部１１の電圧値と蓄電部１１に充電されている電力量との関係を示すテーブルを備え、蓄電部１１の電圧値を測定するとともに当該テーブルを参照することで、蓄電部１１に充電されている電力量を測定する。また例えば、残容量測定部１４は、蓄電部１１の満充電及び完全放電の状態を基準として、充放電測定部１３で測定される電力または電流の積分値を、加算（充電時）または減算（放電時）することで、蓄電部１１に充電されている電力量を測定する。
【００２６】  温度測定部１５は、例えばサーミスタや熱電対などの温度センサから成り、蓄電部設置空間の温度を測定する。蓄電部設置空間は、店舗などの建物内の全部または一部の空間と共用の空間であっても構わないし、建物内の他の空間とは区別された空間や建物外の空間であっても構わない。温度調整部１６は、例えば空冷ファンやエアコンディショナ（以下、エアコンとする）などの温度を調整し得る機器から成り、空冷ファンやエアコン（冷房）などの温度を下げる機器に限られず、エアコン（暖房）や太陽熱システム、排熱利用システムなどの温度を上げる機器も含み得る。なお、温度測定部１５が、蓄電部設置空間に加えて（または代えて）、蓄電部１１の温度を測定するものであっても構わない。また、温度調整部１６が、蓄電部設置空間に加えて（または代えて）、蓄電部１１の温度の調整を行うものであっても構わない。
【００２７】  充放電測定部１３、残容量測定部１４及び温度測定部１５のそれぞれの測定により得られた情報（以下、充放電情報、残容量情報及び温度情報とする）は、制御部５０に入力される。また、充放電調整部１２、充放電測定部１３、残容量測定部１４、温度測定部１５及び温度調整部１６は、後述する負荷部３１に含まれ得る（電力を消費し得る）。
【００２８】  太陽光発電部２０は、例えば、屋外に設置される太陽光発電パネルから成り、照射される光（日光）を電力に変換することで発電する。
【００２９】  負荷関連部３０は、負荷部３１と、供給される電力を必要に応じて負荷部３１に供給する分電部３２と、負荷部３１を構成するそれぞれの負荷に供給される電力または電流を測定する負荷測定部３３と、を備える。
【００３０】  負荷部３１は、供給される電力を消費する複数の機器（負荷）から成る。例えば、電灯などの照明装置や、空調装置、冷機及び暖機、電動車両（Electric Vehicle）の駆動用の蓄電池（バッテリ）を充電するＥＶ充電装置などが含まれ得る。また、同じ機器であっても使用態様によって異なる負荷として扱う。例えば照明機器の場合、夜間照明と昼間の照明は異なる負荷とする。分電部３２は、電力会社から供給される電力（以下、系統電力とする）や、パワコン４０から供給される電力を、負荷部３１を構成するそれぞれの負荷に対して選択的に供給する。負荷測定部３３は、例えば、負荷部３１を構成する複数の負荷に供給される単位時間（例えば、１分）当たりの電力量または電流量を、負荷毎に測定する。なお、一つの負荷測定部３３が、複数の負荷のそれぞれに供給される単位時間当たりの電力量または電流量をそれぞれ測定しても構わないし、複数の負荷測定部３３が、対応するそれぞれの負荷に供給される単位時間当たりの電力量または電流量を測定しても構わない。また、負荷測定部３３が、複数（例えば、全部）の負荷に供給される単位時間当たりの電力量または電流量の合計を測定しても構わないし、所定の負荷群（例えば、電灯などの電力を光に変換する装置により構成される照明装置群や、空調などの電力を動力に変換する装置により構成される動力装置群など）を構成する負荷に供給される単位時間当たりの電力量または電流量の合計を測定しても構わない。
【００３１】  負荷測定部３３の測定により得られる情報（以下、負荷需要量情報とする）は、制御部５０に入力される。また、負荷測定部３３は、負荷部３１に含まれ得る（電力を消費し得る）。
【００３２】  パワコン４０は、入力される直流電力を所定の直流電力に変換して出力する太陽光発電部用コンバータ４１と、入力される交流電力または直流電力を所定の直流電力または交流電力に変換して出力するインバータ４２と、入力される直流電力を所定の直流電力に変換して出力する蓄電部用コンバータ４３と、太陽光発電部２０の発電により供給される電力または電流を測定する発電測定部４４と、を備える。
【００３３】  太陽光発電部用コンバータ４１は、太陽光発電部２０が供給する直流電力を、インバータ４２や蓄電部用コンバータ４３での処理に適した直流電力に変換して出力する。インバータ４２は、分電部３２を介して入力される交流の系統電力を、蓄電部用コンバータ４３での処理に適した直流電力に変換して出力する。また、インバータ４２は、太陽光発電部用コンバータ４１から出力される直流電力や、蓄電部用コンバータ４３から出力される直流電力を、分電部３２や負荷部３１での処理に適した交流電力に変換して、分電部３２に出力する。蓄電部用コンバータ４３は、太陽光発電部用コンバータ４１から出力される直流電力や、インバータ４２から出力される直流電力を、蓄電部１１の充電に適した直流電力に変換して、蓄電部１１に出力する。また、蓄電部用コンバータ４３は、蓄電部１１の放電により供給される直流電力を、インバータ４２での処理に適した直流電力に変換して出力する。発電測定部４４は、太陽光発電部２０から出力されて太陽光発電部用コンバータ４１に入力される直流電力の、単位時間（例えば、１分）当たりの電力量または電流量を測定する。
【００３４】  発電測定部４４の測定により得られる情報（以下、発電量情報とする）は、制御部５０に入力される。また、太陽光発電部用コンバータ４１、インバータ４２、蓄電部用コンバータ４３及び発電測定部４４は、負荷部３１に含まれ得る（電力を消費し得る）。
【００３５】  制御部５０は、充放電調整部１２の動作を制御する充放電制御部５１と、太陽光発電部２０で発電される電力量を予測する発電量予測部５２と、負荷部３１で消費される電力量を予測する負荷需要量予測部５３と、温度調整部１６の動作を制御する温度制御部５４と、蓄電部１１の放電可能時間を予測する放電可能時間予測部５５と、を備える。なお、制御部５０の一部または全部が、パワコン４０内に設置されても構わないし、パワコン４０と独立して設置されても構わない。
【００３６】  また、制御部５０は、上述のように取得した各情報を、必要に応じてデータベース６０に記録する。また、制御部５０は、データベース６０に記録された情報を、必要に応じて読み出す。なお、データベース６０が、他の電力供給システムで生成された各情報を記録可能であっても構わない。
【００３７】  充放電制御部５１は、発電量予測部５２で予測される太陽光発電部２０が発電する電力量（以下、発電量とする）や、負荷需要量予測部５３で予測される負荷部３１が消費する電力量（負荷需要量）に基づいて、充放電調整部１２を制御する。これにより、所定の方針（例えば、系統電力の消費を抑制して電力料金を安くする方針）に沿って、蓄電部１１の充電及び放電が行われる。発電量予測部５２及び負荷需要量予測部５３は、予測時に取得した発電量情報や負荷需要量情報だけでなく、データベース６０に記録されている情報（例えば、過去に取得及び記録された発電量情報及び負荷需要量情報や、これらを統計的に処理（例えば、１週間や１ヶ月などの所定の期間で平均化）した情報など。以下、過去発電量情報、過去負荷需要量情報とする）をも参照し得る（詳細は後述）。
【００３８】  温度制御部５４は、例えば温度情報や、充放電情報、負荷需要量情報などに基づいて、蓄電部１１の現在の温度または将来の温度変化（特に、温度上昇）を認識し、温度調整部１６の動作を制御する。これにより、蓄電部設置空間の温度を、蓄電部１１の動作に適した温度にすることが可能となる。
【００３９】  放電可能時間予測部５５は、例えば、残容量情報や、発電量予測部５２及び負荷需要量予測部５３による予測結果に基づいて、蓄電部１１が放電することができる時間を予測する。放電可能時間予測部５５は、予測した時間を示す情報（以下、放電可能時間情報とする）を報知部７０に入力し、報知部７０に報知させる。報知部７０は、例えば文字や画像を表示したり音を発したりすることにより、ユーザに対して放電可能時間を報知する（詳細は後述）。
【００４０】  充放電制御部５１、発電量予測部５２、負荷需要量予測部５３、温度制御部５４及び放電可能時間予測部５５、データベース６０及び報知部７０は、負荷部３１に含まれ得る（電力を消費し得る）。
【００４１】  なお、図１に示す電力供給システム１の構成は一例に過ぎず、他の構成としても構わない。例えば、インバータ４２の代わりに、太陽光発電部用コンバータ４１から出力される直流電力を交流電力に変換して分電部３２に入力する太陽光発電部用インバータと、蓄電部用コンバータ４３から出力される直流電力を交流電力に変換して分電部３２に入力するとともに分電部３２を介して入力される交流電力を直流電力に変換して蓄電部用コンバータ４３に入力する蓄電部用インバータと、のそれぞれを備える構成としても構わない。さらに、この蓄電部用インバータの代わりに、蓄電部用コンバータ４３から出力される直流電力を交流電力に変換して分電部３２に入力する放電用インバータと、分電部３２を介して入力される交流電力を直流電力に変換して蓄電部用コンバータ４３に入力する充電用インバータと、のそれぞれを備える構成としても構わない。
【００４２】  また、各ブロックの包含関係は説明の便宜のために過ぎず、これ以外の関係であっても構わない。例えば、充放電測定部１３や充放電調整部１２が、パワコン４０に含まれても（蓄電関連部１０に含まれなくても）構わない。また例えば、蓄電部用コンバータ４３が、蓄電関連部１０に含まれても（パワコン４０に含まれなくても）構わない。また、発電測定部４４が、太陽光発電部２０側に含まれても（パワコン４０に含まれなくても）構わない。
【００４３】  また、上述の構成は、蓄電部１１が供給する電力が、パワコン４０及び分電部３２を介して負荷部３１に供給されるものであるが、状況に応じて蓄電部１１が供給する電力が負荷部３１に直接的に供給される構成であっても構わない。具体的な構成として、例えば、系統電力の供給の停止を検出する停電検出部と、蓄電部１１の電力の供給先をパワコン４０と負荷部３１とで切り替える切替部と、を備えても構わない。そして、停電検出部が系統電力の供給の停止を検出することで、切替部が、蓄電部１１の電力の供給先をパワコン４０から負荷部３１に切り替えることとしても構わない。
【００４４】  また、上記の停電検出部を備え、停電検出部が系統電力の供給の停止を検出すると、自動的に制御部５０の放電可能時間予測部５５や報知部７０が動作を開始するように構成しても構わない。さらに、自動的に所定の負荷（例えば、照明装置）が動作するように構成しても構わない。また、放電可能時間予測部５５や報知部７０の動作の開始を、ユーザが指示する構成としても構わない。
【００４５】  また、制御部５０が、ネットワークなどを介して現在または将来の天気に関する情報（例えば、日照の有無や気温、湿度、降水量など）を取得しても構わないし、天気に関する情報を生成する観測機器を備え、当該観測機器から天気に関する情報を取得しても構わない。また、制御部５０が、取得した天気に関する情報をデータベース６０に記録しても構わない。また、制御部５０が、時間に関する情報を生成したり外部から取得したりしても構わないし、生成または取得した時間に関する情報をデータベース６０に記録しても構わない。このように構成すると、発電量予測部５２や負荷需要量予測部５３が、天気や時間に基づいた予測をも行うことが可能となる。そのため、さらに精度良く予測をすることが可能となる。
【００４６】  また、太陽光発電により電力を供給する太陽光発電部２０に代えて（または、加えて）、他の方法で電力を供給する発電部（例えば、燃料電池や発電機など）を備えても構わない。＜＜放電可能時間の予測動作及び報知動作＞＞  次に、図１に示した電力供給システムによる、放電可能時間の予測動作及び報知動作の一例について、図面を参照して説明する。図２は、図１に示した電力供給システムの要部を示すブロック図であり、図１に示すブロック図の中で、放電可能時間の予測動作及び報知動作に関係する部分を示すものである。なお、図１と同様に、図２中の各ブロックを接続する実線の矢印は電力のやり取りを示し、破線の矢印は情報のやり取りを示している。また、以下では、災害時などの系統電力の供給が停止する場合について説明する。（発電量予測部）  最初に、制御部５０の発電量予測部５２の予測方法について、図２及び図３を参照して説明する。図３は、発電量の予測方法について説明するグラフである。上述のように、発電量予測部５２は、発電測定部４４から発電量情報を取得したり、データベース６０から過去発電量情報を取得したりすることができる。
【００４７】  発電量予測部５２は、予測時に得られた発電量情報（即ち、発電測定部４４の実測値）に基づいて、発電量を予測することができる（発電量予測方法Ｇ１）。例えば、予測時に得られた発電量情報と予測時の状況（例えば、天気、季節、時間など）とに基づいて、発電量のその後の変化を予測する。
【００４８】  また、発電量予測部５２は、データベース６０から取得する過去発電量情報に基づいて、発電量を予測することができる（発電量予測方法Ｇ２）。例えば、予測時の状況（例えば、天気、季節、曜日、日、時間、地域、電力供給システム１（特に、太陽光発電部２０）の規模、電力供給システム１を備える店舗等の規模など）と、同様の状況で得られた過去発電量情報を選択的に参照することで、発電量の予測を行う。
【００４９】  また、発電量予測部５２は、予測時に得られた発電量情報及びデータベース６０から取得する過去発電量情報に基づいて、発電量を予測することができる（発電量予測方法Ｇ３）。例えば、発電量予測方法Ｇ１により予測された発電量と、発電量予測方法Ｇ２により予測された発電量とを平均化することで、発電量の予測を行う。
【００５０】  なお、発電量予測部５２が、上述の発電量予測方法Ｇ１〜Ｇ３以外の方法で、発電量を予測しても構わない。また、ユーザが任意の発電量予測方法を選択可能な構成としても構わないし、発電量予測部５２が、ある発電量予測方法のみを行う構成としても構わない。（負荷需要量予測部）  次に、制御部５０の負荷需要量予測部５３の予測方法について、図２及び図４を参照して説明する。図４は、負荷需要量の予測方法について説明するグラフである。上述のように、負荷需要量予測部５３は、負荷測定部３３から負荷需要量情報を取得したり、データベース６０から過去負荷需要量情報を取得したりすることができる。
【００５１】  負荷需要量予測部５３は、予測時に得られた負荷需要量情報（即ち、負荷測定部３３の実測値）に基づいて、負荷需要量を予測することができる（負荷需要量予測方法Ｄ１）。例えば、予測時に得られた負荷需要量情報と予測時の状況（例えば、天気、季節、曜日、日、時間など）とに基づいて、負荷需要量のその後の変化を予測する。
【００５２】  また、負荷需要量予測部５３は、データベース６０から取得する過去負荷需要量情報に基づいて、負荷需要量を予測することができる（負荷需要量予測方法Ｄ２）。例えば、予測時の状況（例えば、天気、季節、曜日、日、時間、地域、電力供給システム１（特に、負荷部３１）の規模、電力供給システム１を備える店舗等の規模など）と、同様の状況で得られた過去負荷需要量情報を選択的に参照することで、負荷需要量の予測を行う。
【００５３】  また、負荷需要量予測部５３は、予測時に得られた負荷需要量情報及びデータベース６０から取得する過去負荷需要量情報に基づいて、負荷需要量を予測することができる（負荷需要量予測方法Ｄ３）。例えば、負荷需要量予測方法Ｄ１により予測された負荷需要量と、負荷需要量予測方法Ｄ２により予測された負荷需要量とを平均化することで、負荷需要量の予測を行う。
【００５４】  なお、負荷需要量予測部５３が、上述の負荷需要量予測方法Ｄ１〜Ｄ３以外の方法で、負荷需要量を予測しても構わない。また、ユーザが任意の負荷需要量予測方法を選択可能な構成としても構わないし、負荷需要量予測部５３が、ある負荷需要量予測方法のみを行う構成としても構わない。
【００５５】  また、負荷毎に、適用する負荷需要量予測方法Ｄ１〜Ｄ３を選択可能としても構わない。例えば、負荷需要量予測部５３が、ある負荷の負荷需要量情報を取得することができれば、当該ある負荷について負荷需要量予測方法Ｄ１を適用して予測を行い、ある負荷の負荷需要量情報を取得することができなければ、当該ある負荷について負荷需要量予測方法Ｄ２を適用して予測を行っても構わない。（放電可能時間予測部）  また、制御部５０の放電可能時間予測部５５の予測方法について、図２及び図５を参照して説明する。図５は、選択され得る負荷パターンの一例を示すグラフである。
【００５６】  図２に示すように、負荷部３１は複数の負荷（第１負荷３１１、第２負荷３１２、・・・、第ｎ負荷３１ｎ。ｎは２以上の整数）を備える。そのため、ユーザが電力を供給し得る（使用し得る）負荷の組み合わせ（選択され得る負荷パターン）は、図５に例示すように複数存在し得る。なお、図５に示すように、種類は同じでも使用状況が異なるものを、異なる負荷として解釈しても構わない（例えば、昼間照明及び夜間照明）。また、図５に示す負荷及び負荷パターンＲ１〜Ｒ５は一例に過ぎず、これ以外の負荷及び負荷パターンが含まれても構わないし、この中のいずれかが含まれなくても構わない。
【００５７】  放電可能時間予測部５５は、複数の負荷パターンＲ１〜Ｒ５について、放電可能時間を予測する。放電可能時間とは、例えば、負荷パターンＲ１〜Ｒ５に示される負荷（図５中の丸印の負荷）に電力を供給する場合に、蓄電部１１が放電することができる時間（換言すると、当該負荷に電力を供給することができる時間）を示したものである。なお、放電可能時間予測部５５が、予測時に電力を供給している負荷の組み合わせ（現状負荷パターン。負荷パターンの一つとして解釈され得る）について、放電可能時間を予測しても構わない。
【００５８】  具体的に例えば、放電可能時間予測部５５は、下記式（１）により放電可能時間を算出することができる。下記式（１）では、放電可能時間をＴ（時間）、残容量測定部１４によって測定される蓄電部１１に充電されている電力量をＡ（ｋＷｈ）、負荷需要量予測部５３によって予測される１分当たりの負荷需要量をＢｋＷ分（即ち、６０ＢｋＷｈ）、発電量予測部５２によって予測される１分当たりの発電量をＣｋＷ分（即ち、６０ＣｋＷｈ）とする。なお、説明の簡略化のため、下記式（１）において負荷需要量Ｂ及び発電量Ｃが、時間の関数ではない（経時変化しない）ものとしているが、時間の関数（経時変化する）としても構わない。また、負荷需要量Ｂに、電力供給システム１の動作を維持するために必要な負荷の電力量（例えば、制御部５０や報知部７０など）が含まれても構わない。また、夜間や雨天であれば、発電量Ｃは０に近くなる。
【００５９】  Ｔ＝（Ａ＋６０Ｃ）／６０Ｂ  ・・・（１）  例えば上記式（１）のようにして予測される放電可能時間は、報知部７０によって報知される。報知部７０が表示装置である場合の報知例（表示例）について、図６を参照して説明する。図６は、図５に示す負荷パターンが選択可能である場合の報知部の報知例（表示例）を示す図である。
【００６０】  図６に示すように、報知部７０は、複数の負荷パターンＲ１〜Ｒ５及び現状負荷パターンに対応する放電可能時間を、ユーザに報知（表示）する。なお、図６では複数の負荷パターンに対応する放電可能時間を一度に表示する場合について例示しているが、ユーザの指示や時間の経過などにしたがって、順次表示しても構わない。
【００６１】  以上のように構成すると、ユーザが報知部７０から放電可能時間を報知されることで、どの負荷に電力を供給すると、どれだけの時間蓄電部１１を放電して電力を供給することができるかを、容易に把握することが可能となる。そのため、蓄電部１１を放電させて得られる電力の最適な消費方法を、ユーザが容易に決定することが可能となる。
【００６２】  具体的に例えば、「夜間照明を使用しつつ、蓄電部１１に充電されている電力量に余裕があれば他の負荷を使用する」ことをユーザが望んだ場合、ユーザは、「夜間照明を使用する負荷パターンであり、放電可能時間が所望の時間（朝）を超えるもの」を確認するだけで、使用すべき負荷の適切な組み合わせ（負荷パターン）を容易に決定することが可能となる。＜＜変形例１＞＞  本発明の実施形態における電力供給システム１について、制御部５０などの一部または全部の動作を、マイコンなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【００６３】  また、上述した場合に限らず、図１及び図２に示す電力供給システム１は、ハードウェア、或いは、ハードウェアとソフトウェアの組み合わせによって実現可能である。また、ソフトウェアを用いて充電システムの一部を構成する場合、ソフトウェアによって実現される部位についてのブロックは、その部位の機能ブロックを表すこととする。＜＜変形例２＞＞この変形例は、所定の間隔で放電可能時間の予測を繰り返し行ない、負荷の組み合わせに対する放電可能時間を更新することで実際の負荷の使用による変動に対応するものである。例えば、３０分毎に現在の畜電池残量に基づいてリストに表示される負荷を使用した場合に放電できる時間を計算して再表示を行う。
【００６４】  具体的には、図７のフローチャートに示す制御を制御部が行い、タイマー５７を用いて３０分を経過する毎に（Ｓ０１）、その時点の蓄電池の残量に基づいてリストに表示された負荷の組み合わせを用いた場合にあと何時間使用できるかを計算して表示を行う（Ｓ０３，Ｓ０４）。＜＜変形例３＞＞  この変形例は、入力された時間で使用可能な負荷の組み合わせを表示させるものである。
【００６５】  例えば、あと３時間でどれだけの負荷を使用できるかを知りたい場合、ユーザがタッチパネルやキーによる入力手段から３時間を入力すれば３時間以上（少なくとも３時間）現在の蓄電量および発電予測に基づいて使用できる負荷の組み合わせを表示するようにする。また、ユーザが何時まで使用できる負荷の組み合わせを知りたい場合は、現在の時刻からその時刻までの時間を算出して入力する時間の値としてもよいさらに、電力会社が停電を行う時刻が予め分かっている場合は、現在の時刻から停電が終わる時刻までの時間を算出して入力する時間の値としてもよい。＜＜変形例４＞＞  この変形例は、表示手段に表示された複数の負荷の組み合わせからユーザが１つの負荷パターン（組み合わせ）を選択し、選択された負荷パターンに合わせて各機器を制御するものである。図８に示すように制御部５０に負荷パターンを選択する選択部（８０）と負荷部を制御する負荷制御部（５６）をさらに設け、ユーザが選択した負荷パターンに基づいて各機器を制御する。具体的には、負荷と時刻のテーブルを参照して照明器具の調光、エアコン等の温度およびオン／オフを行う。これらの機器が赤外線リモコンで動作可能な場合は、赤外線信号を出力することで制御を行い、また、負荷単位で配電盤を制御して各機器のオン／オフ制御を行ってもよい。
【００６６】  以上、本発明における実施形態について説明したが、本発明の範囲はこれに限定されるものではなく、発明の主旨を逸脱しない範囲で種々の変更を加えて実行することができる。
【産業上の利用可能性】
【００６７】  本発明は、電力を供給する電力供給システムに利用可能である。
【符号の説明】
【００６８】      １    電力供給システム    １１    蓄電部    １３    充放電測定部    １４    残容量測定部    ２０    太陽光発電部    ３１    負荷部    ３３    負荷測定部    ４４    発電測定部    ５０    制御部    ５１    充放電制御部    ５２    発電量予測部    ５３    負荷需要量予測部    ５５    放電可能時間予測部    ６０    データベース    ７０    報知部    ８０    入力/選択部 
【図１】
0005891460.tif 000002
【図２】
0005891460.tif 000003
【図３】
0005891460.tif 000004
【図４】
0005891460.tif 000005
【図５】
0005891460.tif 000006
【図６】
0005891460.tif 000007
【図７】
0005891460.tif 000008
【図８】
0005891460.tif 000009